Podtech/llm-jp-corpus-v4-ja_patent huggingface dataset:
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
印刷版の印刷版面が、フッ素樹脂を含む撥インク剤で処理された印刷版の製造方法であって、
フッ素樹脂濃度０．０５〜０．４質量％、粘度０．３〜０．９ｍＰａ・ｓの撥インク剤を前記印刷版面に、５０〜２００ｇ／ｍ２の塗布量で塗布し、該撥インク剤を乾燥硬化することを特徴とする印刷版の製造方法。
【請求項２】
前記印刷版面をプライマ処理した後、前記撥インク剤を塗布する、請求項１に記載の印刷版の製造方法。
【請求項３】
前記印刷面に、固形分濃度０．１〜１．０質量％のプライマを、塗工量１０〜１００ｇ／ｍ２で塗布して、前記プライマ処理する、請求項２に記載の印刷版の製造方法。
【請求項４】
前記印刷版が凸版印刷版又は凹版印刷版であって、少なくとも該印刷版の凹状部に、前記撥インク剤を塗布する、請求項１〜３のいずれか１項に記載の印刷版の製造方法。
【請求項５】
請求項１〜４のいずれかに記載の方法によって得られた印刷版であって、該印刷版の印刷版面に、厚さ５〜３０ｎｍのフッ素樹脂膜が形成されていることを特徴とする印刷板。
【手続補正２】
【補正対象書類名】明細書
【補正対象項目名】００１３
【補正方法】変更
【補正の内容】
【００１３】
上記目的を達成するため、本発明の印刷版の製造方法は、印刷版の印刷版面が、フッ素樹脂を含む撥インク剤で処理された印刷版の製造方法であって、フッ素樹脂濃度０．０５〜０．４質量％、粘度０．３〜０．９ｍＰａ・ｓの撥インク剤を前記印刷版面に、５０〜２００ｇ／ｍ２の塗布量で塗布し、該撥インク剤を乾燥硬化することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
本発明の印刷版の製造方法は、前記印刷版面をプライマ処理した後、前記撥インク剤を塗布することが好ましい。プライマ処理は、前記印刷面に、固形分濃度０．１〜１．０質量％のプライマを、塗工量１０〜１００ｇ／ｍ２で塗布して処理することが好ましい。
【手続補正書】
【提出日】平成23年2月14日(2011.2.14)
【手続補正１】
【補正対象書類名】明細書
【補正対象項目名】００６６
【補正方法】変更
【補正の内容】
【００６６】
『再生セルロース繊維評価』
（１）乾・強度：cＮ／dtex
JIS  L１015  低速緊張型試験機による化学繊維ステープル試験方法の８．７項引っ張り強さの標準時試験方法により測定
（２）乾・伸度：％
JIS  L１015 低速緊張型試験機による化学繊維ステープル試験方法の８．７項伸び率の標準時試験方法により測定
（３）染着率：％
染着率は、JIS  L１015に規定されている方法で測定した。染着率の測定法は、試料を直接染料で染色し、染色残液の濃度を吸光度により測定し、検量線より求める。
【手続補正２】
【補正対象書類名】明細書
【補正対象項目名】００７７
【補正方法】変更
【補正の内容】
【００７７】
「ケナフパルプＣ」
ケナフ靱皮繊維、３００Ｋｇを加圧可能な蒸解釜（地球釜）に仕込み、苛性ソーダ水溶液を総アルカリ添加率１３質量％になるように添加し、蒸解温度１６０℃にて蒸解時間をコントロールしＨ−ファクター＝９００になるような条件で蒸解した。蒸解終了後、残留するアルカリ成分や溶解成分である蒸解黒液を除去する為に洗浄し、さらに未蒸解原料を除去する精選処理及び次亜塩素酸ソーダでの漂白処理した後、シート形状に乾燥・裁断した。
【手続補正３】
【補正対象書類名】明細書
【補正対象項目名】００７８
【補正方法】変更
【補正の内容】
【００７８】
『アバカ葉繊維を原料としたバルプの製造方法』
「アバカパルプＡ」
アバカ葉繊維、３００Ｋｇを加圧可能な蒸解釜（地球釜）に仕込み、苛性ソーダ及び亜硫酸ソーダ水溶液を総アルカリ添加率１２質量％になるように添加し、蒸解温度１６５℃にて蒸解時間をコントロールしＨ−ファクター＝１,４００になるような条件で蒸解した。蒸解終了後、残留するアルカリ成分や溶解成分である蒸解黒液を除去する為に洗浄し、さらに未蒸解原料を除去する精選処理及び次亜塩素酸ソーダでの漂白処理した後、シート形状に乾燥・裁断した。
【手続補正４】
【補正対象書類名】明細書
【補正対象項目名】００７９
【補正方法】変更
【補正の内容】
【００７９】
「アバカパルプＢ」
アバカ葉繊維、３００Ｋｇを加圧可能な蒸解釜（地球釜）に仕込み、苛性ソーダ及び亜硫酸ソーダ水溶液を総アルカリ添加率２２質量％になるように添加し、蒸解温度１６０℃にて蒸解時間をコントロールしＨ−ファクター＝１,４００になるような条件で蒸解した。蒸解終了後、残留するアルカリ成分や溶解成分である蒸解黒液を除去する為に洗浄し、さらに未蒸解原料を除去する精選処理及び次亜塩素酸ソーダでの漂白処理した後、シート形状に乾燥・裁断した。
【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
一端に球頭部を有するボールスタッドと、
前記球頭部を覆う樹脂シートと、
前記樹脂シートと球頭部とを収容する、一端が封止され他端が開口された筒状の保持部を含み、前記保持部に球頭部を収容したボールスタッドを、前記樹脂シートを介して、球頭部を支点として揺動可能に支持するハウジングとを備え、
前記樹脂シートは、筒状の周壁部の一端に保持部の底に位置する底部が設けられ、他端が開口されたカップ状となるように、
前記周壁部と底部を構成する、相対的に硬い樹脂からなる第二シート部分と、前記底部のうち保持部の底への当接部分の少なくとも一部を構成する、相対的に軟らかい樹脂からなる第一シート部分とが一体に成形されてなることを特徴とするボールジョイント。
【手続補正２】
【補正対象書類名】明細書
【補正対象項目名】０００８
【補正方法】変更
【補正の内容】
【０００８】
上記目的を達成するため、本発明は、一端に球頭部（２３）を有するボールスタッド（１８）と、前記球頭部を覆う樹脂シート（１７）と、前記樹脂シートと球頭部とを収容する、一端が封止され他端が開口された筒状の保持部（１９）を含み、前記保持部に球頭部を収容したボールスタッドを、前記樹脂シートを介して、球頭部を支点として揺動可能に支持するハウジング（１６）とを備え、前記樹脂シートは、筒状の周壁部（２１）の一端に保持部の底に位置する底部（２２）が設けられ、他端が開口されたカップ状となるように、前記周壁部と底部を構成する、相対的に硬い樹脂からなる第二シート部分（５１）と、前記底部のうち保持部の底への当接部分の少なくとも一部を構成する、相対的に軟らかい樹脂からなる第一シート部分（５４）とが一体に成形されてなることを特徴とするボールジョイント（１２）を提供するものである（請求項１）。なお、カッコ内の英数字は、後述の実施の形態における対応構成要素等を表す。
【手続補正３】
【補正対象書類名】明細書
【補正対象項目名】００１０
【補正方法】変更
【補正の内容】
【００１０】
また本発明によれば、第一シート部分と第二シート部分とが一つの樹脂シートとして一体に成形されるため、部品点数や組み立ての工数が増加するのを防止できる。
さらに本発明によれば、樹脂シートの周壁部と底部を相対的に硬い第二シート部分によって構成して軸方向の剛性を維持し、底部のうち保持部の底への当接部分の少なくとも一部のみを第一シート部分によって構成しているため、組み立ての利便性等を向上することもできる。
【手続補正４】
【補正対象書類名】明細書
【補正対象項目名】００１１
【補正方法】変更
【補正の内容】
【００１１】
しかも、第一シート部分を荷重による弾性変位量の大きいエラストマー類で形成したとしても、樹脂シートの軸方向の弾性変位量を小さくして、例えばステアリング装置に組み込んだ際にステアリングのリニア感を向上することもできる。
【手続補正５】
【補正対象書類名】明細書
【補正対象項目名】００３９
【補正方法】変更
【補正の内容】
【００３９】
また、第一シート部分５４と第二シート部分５１とが一つの樹脂シート１７として一体に成形されるため、部品点数や組み立ての工数が増加するのを防止できる。
さらに、樹脂シート１７の周壁部２１と底部２２を相対的に硬い第二シート部分５１によって一体に構成して軸方向の剛性を維持し、第一シート部分５４は、底部２２の一部としての、軸方向の剛性への寄与が少ないテーパー部５２の外面にのみ形成している。したがって、第一シート部分５４を荷重による弾性変位量の大きいエラストマー類で形成したとしても、樹脂シート１７の軸方向の弾性変位量を小さくして、例えばステアリング装置に組み込んだ際にステアリングのリニア感を向上できる。
【手続補正６】
【補正対象書類名】明細書
【補正対象項目名】００４１
【補正方法】変更
【補正の内容】
【００４１】
その他、本発明のボールジョイントは、ラック軸とタイロッドとを連結する用途以外の用途に用いることができる。
【手続補正７】
【補正対象書類名】明細書
【補正対象項目名】００４２
【補正方法】変更
【補正の内容】
【００４２】
【図１】本発明の一実施形態に係るボールジョイントを備えるステアリング装置の概略構成を示す模式図である。
【図２】インナーボールジョイントおよびアウターボールジョイントを含むステアリング装置の一部の断面図である。
【図３】本発明の一実施の形態にかかるインナーボールジョイントの概略構成を示す一部断面図である。
【図４】インナーボールジョイントの組み立て中の状態を示す一部断面図である。
【図５】樹脂シートの外観を示す斜視図である。
【図６】樹脂シートの変形例の外観を示す斜視図である。
【図７】樹脂シートの別の変形例の外観を示す斜視図である。
【手続補正８】
【補正対象書類名】図面
【補正対象項目名】図８
【補正方法】削除
【補正の内容】
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
ステアリング装置のラックの端部に設けられるラックエンド用ボールジョイントであって、
球頭部を有するボールスタッドと、
前記球頭部の表面を覆う樹脂シートと、
前記樹脂シートで覆われた前記球頭部を収容し、前記球頭部を前記樹脂シートを介して摺動可能に支持するソケットとを備え、
前記ソケットが、筒状の第１部材と、前記第１部材とは別部材で形成され、前記第１部材の一端部を塞ぐ第２部材とが結合された構造であり、
前記第１部材の他端部の内面は、前記球頭部の表面に沿う曲面に形成されて、前記球頭部を保持する第１保持面とされていることを特徴とする、ラックエンド用ボールジョイント。
【請求項２】
前記樹脂シートは、球面状の球面シートを有し、
前記第２部材には、前記球頭部の表面に沿う曲面に形成されて、前記球面シートを介して前記球頭部を保持する第２保持面が設けられていることを特徴とする、請求項１記載のラックエンド用ボールジョイント。
【請求項３】
前記第１部材と前記第２部材との結合は、ねじ嵌合により達成されていることを特徴とする、請求項１または２記載のラックエンド用ボールジョイント。
【手続補正２】
【補正対象書類名】明細書
【補正対象項目名】発明の名称
【補正方法】変更
【補正の内容】
【発明の名称】ラックエンド用ボールジョイント
【手続補正３】
【補正対象書類名】明細書
【補正対象項目名】０００１
【補正方法】変更
【補正の内容】
【０００１】
本発明は、ラックエンド用ボールジョイントに関する。
【手続補正４】
【補正対象書類名】明細書
【補正対象項目名】０００４
【補正方法】変更
【補正の内容】
【０００４】
本発明は、かかる背景の下でなされたものであり、揺動トルクの安定化を図ることができるとともに、長期にわたってがたつきの発生が抑制されたラックエンド用ボールジョイントを提供することを目的とする。
【手続補正５】
【補正対象書類名】明細書
【補正対象項目名】０００５
【補正方法】変更
【補正の内容】
【０００５】
前記の目的を達成するための請求項１記載の発明は、ステアリング装置（１）のラック（１０）の端部に設けられるラックエンド用ボールジョイント（１２）であって、球頭部（２３）を有するボールスタッド（１８）と、前記球頭部の表面を覆う樹脂シート（１７，１７Ａ）と、前記樹脂シートで覆われた前記球頭部を収容し、前記球頭部を前記樹脂シートを介して摺動可能に支持するソケット（１６）とを備え、前記ソケットが、筒状の第１部材（４３，４３Ｂ）と、前記第１部材とは別部材で形成され、前記第１部材の一端部を塞ぐ第２部材（４４，４４Ａ，４４Ｂ）とが結合された構造であり、前記第１部材の他端部の内面は、前記球頭部の表面に沿う曲面に形成されて、前記球頭部を保持する第１保持面（４７）とされていることを特徴とする、ラックエンド用ボールジョイントである。
【手続補正６】
【補正対象書類名】明細書
【補正対象項目名】０００８
【補正方法】変更
【補正の内容】
【０００８】
また、前記第１保持面または／および第２保持面が、球頭部の表面に沿う球面状であってもよい。かかる場合、球頭部の面圧均一性をより向上させることができる。
前記第１部材（４３Ｂ）と前記第２部材（４４Ｂ）との結合は、ねじ嵌合により達成されていることが好ましい（請求項３）。この場合、一方の部材（たとえば第１部材）に対する他方の部材（たとえば第２部材）のねじ込み量を調節することにより、球頭部に付与される面圧を調節することができる。これにより、ラックエンド用ボールジョイント内の予圧を適切に管理することができる。
【手続補正７】
【補正対象書類名】明細書
【補正対象項目名】０００９
【補正方法】変更
【補正の内容】
【０００９】
かかるねじ嵌合は、たとえば、前記第１部材の内周に雌ねじが形成されており、この雌ねじに前記第２部材の外周面に形成された雄ねじがねじ込まれることにより、前記第２部材と前記第１部材との結合が達成されるものであってもよい。
この発明は、ステアリング装置のラックの端部に設けられるラックエンド用ボールジョイントに適用される。ラックエンド用ボールジョイントでは、ソケットの軸方向の肉厚寸法を、ラックとの位置関係を調節することにより、比較的大きく確保することが可能である。このため、前記第２保持面を所望の形状（曲面状、球面状など）に加工することができる。
【手続補正８】
【補正対象書類名】明細書
【補正対象項目名】００１０
【補正方法】変更
【補正の内容】
【００１０】
以下には、図面を参照して、この発明の実施形態について具体的に説明する。
図１は、本発明の一実施形態に係るラックエンド用ボールジョイントが搭載されたステアリング装置１の概略構成を示す模式図である。ステアリング装置１は、操舵部材としてのステアリングホイール２と、転舵輪(図示せず)を転舵する転舵機構としてのラックアンドピニオン機構３とを備えている。
【手続補正９】
【補正対象書類名】明細書
【補正対象項目名】００３５
【補正方法】変更
【補正の内容】
【００３５】
本発明は、以上の実施の形態の内容に限定されるものではなく、請求項記載の範囲内において種々の変更が可能である。
【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
流体が封入されたシリンダと、該シリンダ内に摺動可能に嵌装されたピストンと、前記シリンダ内のピストンの摺動によって流体の流れが生じる通路と、該通路の流体の流れを制御して減衰力を発生させる減衰力発生機構とを備えた緩衝器において、
前記減衰力発生機構は、前記通路の流体の流通を常時許容するオリフィス通路と、前記通路が貫通されたバルブ部材に設けられた環状の弁座と、該弁座に着座して前記弁座とで弁室を形成し、該弁室内の流体の圧力を受けて開弁する円板状のシートディスクと、該シートディスクに設けられて前記弁室に連通する貫通孔と、前記シートディスク上に前記貫通孔を開閉するように設けられて該貫通孔の部分を受圧面として前記弁室内の流体の圧力を受けて開弁するディスクバルブとを備え、
前記ディスクバルブの開弁圧力は、前記シートディスクの開弁圧力よりも低く、
前記貫通孔は、前記シートディスクの円周方向に沿って延びる長孔又は円周方向に沿って互いに近接配置された小孔の集合であり、
前記ディスクバルブは、開弁時に前記貫通孔を円周方向に対して部分的に開くことによって該貫通孔の流路面積を徐々に増大させることを特徴とする緩衝器。
【請求項２】
前記減衰力発生機構は、ピストン速度低速域では、主に前記オリフィス通路によって減衰力を発生させ、中速域では、主に前記ディスクバルブの開度に応じて減衰力を発生させ、高速域では、前記シートディスクの開度に応じて減衰力を発生させ、低速域から中速域に移行する移行領域では、前記ディスクバルブが円周方向に対して部分的に開弁することによって減衰力が徐々に変化することを特徴とする請求項１に記載の緩衝器。
【請求項３】
前記移行領域の幅は、ピストン速度０．１ｍ／秒以上であることを特徴とする請求項２に記載の緩衝器。
【請求項４】
前記弁室内と前記貫通孔との間には、絞りを有しないことを特徴とする請求項１乃至３のいずれかに記載の緩衝器。
【請求項５】
前記貫通孔は、前記通路よりも流路面積が大きいことを特徴とする請求項１乃至４のいずれかに記載の緩衝器。
【請求項６】
前記貫通孔は、前記シートディスクの中心に対して互いに対称に配置されていることを特徴とする請求項１乃至５のいずれかに記載の緩衝器。
【請求項７】
前記貫通孔は、中心角３５度以上の範囲にわたって延びていることを特徴とする請求項６に記載の緩衝器。
【手続補正書】
【提出日】平成23年6月16日(2011.6.16)
【手続補正１】
【補正対象書類名】明細書
【補正対象項目名】００１３
【補正方法】変更
【補正の内容】
【００１３】
本発明によれば、誘電体の無機微粒子からなる薄膜が、少なくとも表面が樹脂からなる基体の繊維表面に、無機微粒子表面に被覆された不飽和結合や反応性官能基を有するシランモノマーにより、化学結合により固定化され、且つ、無機微粒子同士もシランモノマーにより結合して形成されていることから、コロナ放電による電子注入や、繊維やフィルムなどによる摩擦によって帯電させることが可能となり、これより、粒子状浮遊性物質を静電気の吸引力で捕集することが可能となる。
【手続補正２】
【補正対象書類名】明細書
【補正対象項目名】００２４
【補正方法】変更
【補正の内容】
【００２４】
本実施形態の塵離れ性に優れた帯電性フィルター用部材１００に用いられる誘電体の無機微粒子２としては、非金属酸化物、金属酸化物、金属複合酸化物などが用いられる。また、無機微粒子２の結晶性は、非晶性あるいは結晶性のどちらでも良い。非金属酸化物としては、酸化珪素が挙げられる。また、金属酸化物としては、酸化マグネシウムや、酸化バリウムや、過酸化バリウムや、酸化アルミニウムや、酸化スズや、酸化チタンや、酸化亜鉛や、過酸化チタンや、酸化ジルコニウムや、酸化鉄や、水酸化鉄や、酸化タングステンや、酸化ビスマスや、酸化インジウムが挙げられる。また、金属複合酸化物としては、酸化チタンバリウムや、酸化コバルトアルミニウムや、酸化ジルコニウム鉛や、酸化ニオブ鉛や、ＴｉＯ2−ＷＯ3や、Ａｌ2Ｏ３−ＳｉＯ２や、ＷＯ３−ＺｒＯ２や、ＷＯ３−ＳｎＯ２などが挙げられる。
【手続補正３】
【補正対象書類名】明細書
【補正対象項目名】００５７
【補正方法】変更
【補正の内容】
【００５７】
さらに、誘電性を有する化合物５としては、フッ素系化合物として、パーフルオロアルキル基を有するシランカップリング剤、例えば、ＣＦ３（ＣＨ２）２Ｓｉ（ＯＣＨ３）３や、ＣＦ３（ＣＦ２）５（ＣＨ２）２Ｓｉ（ＯＣＨ３）３や、ＣＦ３（ＣＦ２）７（ＣＨ２）２Ｓｉ（ＯＣＨ３）３や、ＣＦ３（ＣＦ２）11（ＣＨ２）２Ｓｉ（ＯＣＨ３）３や、ＣＦ３（ＣＦ２）15（ＣＨ２）２Ｓｉ（ＯＣＨ３）３や、ＣＦ３（ＣＦ２）７（ＣＨ２）２Ｓｉ（ＯＣ２Ｈ５）３や、ＣＦ３（ＣＨ２）２ＳｉＣＨ３（ＯＣＨ３）２や、ＣＦ３（ＣＦ２）２（ＣＨ２）２ＳｉＣＨ３（ＯＣＨ３）２、ＣＦ３（ＣＦ２）５（ＣＨ２）２ＳｉＣＨ３（ＯＣＨ３）２や、ＣＦ３（ＣＦ２）７（ＣＨ２）２ＳｉＣＨ３（ＯＣＨ３）２や、ＣＦ３（ＣＦ２）７（ＣＨ２）２ＳｉＣＨ３（ＯＣ２Ｈ５）２や、ＣＦ３（ＣＦ２）７（ＣＨ２）２Ｓｉ（ＯＣＨ３）３や、ＣＦ３（ＣＦ２）７（ＣＨ２）２Ｓｉ（ＯＣ２Ｈ５）３や、ＣＨ３（ＣＦ２）９（ＣＨ２）８Ｓｉ（ＯＣ２Ｈ５）３や、ＣＦ３（ＣＦ２）７ＣＯＮＨ（ＣＨ２）３Ｓｉ（ＯＣＨ３）３や、ＣＦ３（ＣＦ２）７ＣＯＮＨ（ＣＨ２）２ＳｉＣＨ３（ＯＣＨ３）２や、パーフルオロアルキル基とシラノール基を有するオリゴマー、例えば、ＫＰ−８０１Ｍ（信越化学工業株式会社製）や、Ｘ−２４−７８９０（信越化学工業株式会社製）や、パーフルオロブテニルビニルエーテルおよびその重合体などが用いられる。
【手続補正４】
【補正対象書類名】明細書
【補正対象項目名】００６９
【補正方法】変更
【補正の内容】
【００６９】
さらに、誘電性を有する化合物の被膜６としては、フッ素系化合物として、パーフルオロアルキル基を有するシランカップリング剤、例えば、ＣＦ３（ＣＨ２）２Ｓｉ（ＯＣＨ３）３や、ＣＦ３（ＣＦ２）５（ＣＨ２）２Ｓｉ（ＯＣＨ３）３や、ＣＦ３（ＣＦ２）７（ＣＨ２）２Ｓｉ（ＯＣＨ３）３や、ＣＦ３（ＣＦ２）11（ＣＨ２）２Ｓｉ（ＯＣＨ３）３や、ＣＦ３（ＣＦ２）15（ＣＨ２）２Ｓｉ（ＯＣＨ３）３や、ＣＦ３（ＣＦ２）７（ＣＨ２）２Ｓｉ（ＯＣ２Ｈ５）３や、ＣＦ３（ＣＨ２）２ＳｉＣＨ３（ＯＣＨ３）２や、ＣＦ３（ＣＦ２）２（ＣＨ２）２ＳｉＣＨ３（ＯＣＨ３）---２、ＣＦ３（ＣＦ２）５（ＣＨ２）２ＳｉＣＨ３（ＯＣＨ３）２や、ＣＦ３（ＣＦ２）７（ＣＨ２）２ＳｉＣＨ３（ＯＣＨ３）２や、ＣＦ３（ＣＦ２）７（ＣＨ２）２ＳｉＣＨ３（ＯＣ２Ｈ５）２や、ＣＦ３（ＣＦ２）７（ＣＨ２）２Ｓｉ（ＯＣＨ３）３や、ＣＦ３（ＣＦ２）７（ＣＨ２）２Ｓｉ（ＯＣ２Ｈ５）３や、ＣＨ３（ＣＦ２）９（ＣＨ２）８Ｓｉ（ＯＣ２Ｈ５）３や、ＣＦ３（ＣＦ２）７ＣＯＮＨ（ＣＨ２）３Ｓｉ（ＯＣＨ３）３や、ＣＦ３（ＣＦ２）７ＣＯＮＨ（ＣＨ２）２ＳｉＣＨ３（ＯＣＨ３）２や、パーフルオロアルキル基とシラノール基を有するオリゴマー、例えば、ＫＰ−８０１Ｍ（信越化学工業株式会社製）や、Ｘ−２４−７８９０（信越化学工業株式会社製）や、パーフルオロブテニルビニルエーテルおよびその重合体、ＰＴＦＥ、ＥＴＦＥ、ＰＶＤＦなどが用いられる。
【手続補正５】
【補正対象書類名】明細書
【補正対象項目名】００８４
【補正方法】変更
【補正の内容】
【００８４】
（実施例１）
市販の誘電性を有する酸化ジルコニウム粒子（日本電工株式会社製、PCS）をメタノールに10.0質量％分散した後、ビーズミルにより平均粒子径17ｎｍに粉砕分散した。得られた分散溶液にシランモノマーとして不飽和結合や反応性官能基を有する３−メタクリロキシプロピルトリメトキシシラン（信越化学工業株式会社製、ＫＢＭ−５０３）を無機微粒子に対して5.0質量％加えた後、この粉砕分散溶液を、冷却管を備えたフラスコに移してフラスコを加熱し、４時間還流下で処理することにより酸化ジルコニウム微粒子表面にシランモノマーを脱水縮合反応により化学結合させて被覆を形成した。なお、ここでいう平均粒子径とは、体積平均粒子径のことをいう。
【手続補正６】
【補正対象書類名】明細書
【補正対象項目名】００８９
【補正方法】変更
【補正の内容】
【００８９】
（実施例５）
実施例１において、得られた無機微粒子薄膜上に、パーフルオロブテニルビニルエーテルポリマー（旭硝子株式会社製CYTOP）を塗布した。
【手続補正７】
【補正対象書類名】明細書
【補正対象項目名】００９０
【補正方法】変更
【補正の内容】
【００９０】
（実施例６）
実施例２の（２）において、得られた無機微粒子薄膜上にパーフルオロブテニルビニルエーテルポリマー（旭硝子株式会社製CYTOP）を塗布した。
【手続補正８】
【補正対象書類名】明細書
【補正対象項目名】００９９
【補正方法】変更
【補正の内容】
【００９９】
【表１】
2009034665.tif 000001
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
ＰＦＣ含有ガスを処理するＰＦＣ処理装置であって、
棒状の内部ヒーターと、該内部ヒーターから所定間隔をおいて、筒状に配された外部ヒーターとを具備する装置本体からなり、
該内部ヒーター及び該外部ヒーターとの間にＰＦＣ分解処理剤を充填する処理剤配置部が形成されている
ことを特徴とするＰＦＣ処理装置。
【請求項２】
ＰＦＣ処理装置内に被処理ガスを導入するガス導入部にアルカリ剤が配されてアルカリ剤配置部が形成されていることを特徴とする請求項１記載のＰＦＣ処理装置。
【請求項３】
上記装置本体に充填される上記ＰＦＣ分解処理剤が、平均粒子径６０μｍ以上１６０μｍ以下のAl（OH）3と、Ca（OH）2とのモル比が３：７〜５：５である混合物を４３０℃よりも高く８９０℃以下の温度範囲、窒素流又は空気流の対向流中で焼成して得られるＰＦＣ分解処理剤である請求項１又は２に記載のＰＦＣ処理装置。
【請求項４】
上記内部ヒーターがその長手方向に２分割されて第１及び第２の内部ヒーターが形成されており、また、上記外部ヒーターが２分割されて第１及び第２の外部ヒーターが形成されており、第１及び第２の内部ヒーター並びに第１及び第２の外部ヒーターそれぞれの温度が独立して制御可能になされていることを特徴とする請求項１〜３のいずれかに記載のＰＦＣ処理装置。
【請求項５】
ＰＦＣ処理装置内に被処理ガスを導入するガス導入部側に、上部ヒーターがさらに設けられていることを特徴とする請求項１〜４のいずれかに記載のＰＦＣ処理装置。
【請求項６】
ＰＦＣ処理装置内に被処理ガスを導入するガス導入部側に整流板が配されていることを特徴とする請求項１〜５のいずれかに記載のＰＦＣ処理装置。
【請求項７】
上記整流板は、上記内部ヒーターの上方に、小径の板状部材と、中心部に通気用孔を有する大径の板状部材とが、上下に一定の間隔を空けて交互に積層されてなることを特徴とする請求項６に記載のＰＦＣ処理装置。
【請求項８】
ＰＦＣ含有ガスを処理するＰＦＣ処理装置であって、
被処理ガスを分解処理する反応槽と、
当該反応槽内に被処理ガスを導入するガス導入部側に設けられている上部ヒーターと、
当該反応槽の外周に設けられた筒状の外部ヒーターと、
を具備する装置本体からなり、
当該反応槽内にＰＦＣ分解処理剤を充填する処理剤配置部が形成されている
ことを特徴とするＰＦＣ処理装置。
【請求項９】
ＰＦＣ処理装置内に被処理ガスを導入するガス導入部にアルカリ剤が配されてアルカリ剤配置部が形成されていることを特徴とする請求項８記載のＰＦＣ処理装置。
【請求項１０】
上記装置本体に充填される上記ＰＦＣ分解処理剤が、平均粒子径６０μｍ以上１６０μｍ以下のAl（OH）3と、Ca（OH）2とのモル比が３：７〜５：５である混合物を４３０℃よりも高く８９０℃以下の温度範囲、窒素流又は空気流の対向流中で焼成して得られるＰＦＣ分解処理剤である請求項８又は９に記載のＰＦＣ処理装置。
【請求項１１】
被処理ガス流れの上流から順に請求項１〜１０の何れかに記載のＰＦＣ処理装置を２個直列接続してなるＰＦＣ処理システムであって、
２つの該ＰＦＣ処理装置には、各ＰＦＣ処理装置に被処理ガスを導入する導入配管、及び、各ＰＦＣ処理装置から処理後の処理済みガスを導出する導出配管が連結されており、第１のＰＦＣ処理装置の導入配管と第２のＰＦＣ処理装置の導出配管とを連結する連絡配管と、第２のＰＦＣ処理装置の導入配管と第１のＰＦＣ処理装置の導出配管とを連結する連絡配管とが設けられており、各配管にはそれぞれ開閉用バルブが設けられているＰＦＣ処理システム。
【請求項１２】
請求項１〜１０のいずれかに記載のＰＦＣ処理装置又は請求項１１に記載のＰＦＣ処理システムを用いて行うＰＦＣ含有ガスの処理方法であって、
上記処理剤配置部に、別に製造したＰＦＣ分解処理剤を充填し、ＰＦＣを含有するガスを装置本体に導入し、処理温度５５０〜８５０℃で処理することを特徴とするＰＦＣ含有ガスの処理方法。
【請求項１３】
請求項１１に記載のＰＦＣ処理システムを用いるＰＦＣ含有ガスの処理方法であって、
第１のＰＦＣ処理装置からの処理済みガスを第２のＰＦＣ処理装置に導入し、
排ガスの除去率が所定値を下回った時点を検出して第１のＰＦＣ処理装置の稼働を停止し、新しいＰＦＣ分解処理剤に交換し、この交換の間、第２のＰＦＣ処理装置のみを稼働させ、
交換完了後は、第２のＰＦＣ処理装置が上流側となり、新しいＰＦＣ分解処理剤を充填したＰＦＣ処理装置が下流側となるように各配管のバルブを切り替えて、続けて二段直列運転を行うことを特徴とするＰＦＣ含有ガスの処理方法。
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
医学的な画像診断におけるデータを体積レンダリングするシステムにおいて、
３次元体積を表す少なくとも１つのデータセットを記憶するメモリを有し、前記少なくとも１つのデータセットはそれぞれ同一の撮像モードに由来し、
前記少なくとも１つのデータセットに由来する体積の第１の２次元表現および第２の２次元表現を体積レンダリングし、前記第１の２次元表現および前記第２の２次元表現を組み合わされた２次元表現へと組み合わせるプロセッサを有し、
前記組み合わされた２次元表現を画像として表示するディスプレイを有し、
（１）前記少なくとも１つのデータセットは同一の撮像モードに由来するが異なる処理が行われている第１のデータセットおよび第２のデータセットを包含するか、
（２）前記第１の２次元表現および前記第２の２次元表現は異なるようにレンダリングされるか、
（３）前記少なくとも１つのデータセットは前記同一の撮像モードに由来するが異なる処理が行われている第１のデータセットおよび第２のデータセットを包含し、且つ前記第１の２次元表現および前記第２の２次元表現は異なるようにレンダリングされることを特徴とする、システム。
【請求項２】
前記少なくとも１つのデータセットは、前記同一の撮像モードに由来するが異なる処理が行われている第１のデータセットおよび第２のデータセットを包含し、前記同一の撮像モードはＢモード、パラメトリック撮像モードまたはカラードップラーモードを含む、請求項１記載のシステム。
【請求項３】
前記同一の撮像モードはカラードップラーモードを含み、前記異なる処理は速度処理およびパワー処理を含む、請求項２記載のシステム。
【請求項４】
前記同一の撮像モードはカラードップラーモードまたはパラメトリック撮像モードを含み、前記異なる処理は異なるカラーマッピングを含む、請求項２記載のシステム。
【請求項５】
前記第１の２次元表現および前記第２の２次元表現は異なるようにレンダリングされており、前記第１の２次元表現は半透明レンダリングの関数であり、前記第２の２次元表現は最大値投影レンダリングの関数である、請求項１記載のシステム。
【請求項６】
前記同一の撮像モードはＢモードを含む、請求項５記載のシステム。
【請求項７】
前記プロセッサは前記第２の２次元表現に依存せずに前記第１の２次元表現に体積処理を適用する、請求項１記載のシステム。
【請求項８】
前記少なくとも１つのデータセットは、前記同一の撮像モードに由来する第１のデータセットおよび第２のデータセットを包含し、該第１のデータセットおよび該第２のデータセットは患者の異なるスキャンから形成される、請求項１記載のシステム。
【請求項９】
前記少なくとも１つのデータセットは、前記同一の撮像モードに由来する第１のデータセットおよび第２のデータセットを包含し、該第１のデータセットおよび該第２のデータセットは患者の同一のスキャンの異なる処理から形成される、請求項１記載のシステム。
【請求項１０】
医学的な画像診断におけるデータを体積レンダリングする方法において、
超音波データのＢモードタイプまたはフローモードタイプの第１のデータセットに由来する第１の３次元表現をレンダリングし、
超音波データのＢモードタイプまたはフローモードタイプの前記第１のデータセットまたは第２のデータセットに由来する第２の３次元表現をレンダリングし、前記第１の３次元表現および前記第２の３次元表現をＢモードタイプまたはフローモードタイプの同一のデータセットからレンダリングし、ただし、前記第２の３次元表現のレンダリングは前記第２のデータセットに基づくレンダリングを含み、該第２のデータセットは前記第１のデータセットとは異なるスキャンに由来するものであり、
前記第１の３次元表現と前記第２の３次元表現を組み合わせることを特徴とする、方法。
【請求項１１】
前記第１の３次元表現および前記第２の３次元表現のレンダリングはＢモードタイプの超音波データに基づくレンダリングを含み、前記第１の３次元表現のレンダリングは半透明レンダリングを含み、前記第２の３次元表現のレンダリングは表面レンダリングまたは最大値投影レンダリングを含む、請求項１０記載の方法。
【請求項１２】
前記第１の３次元表現および前記第２の３次元表現のレンダリングはフローモードタイプの超音波データに基づくレンダリングを含み、前記第１の３次元表現のレンダリングは速度評価に基づくレンダリングを含み、前記第２の３次元表現のレンダリングはパワー評価、該パワー評価とは異なるようにカラーマッピングされた前記速度評価に基づくレンダリングを含む、請求項１０記載の方法。
【請求項１３】
前記第２の３次元表現のレンダリングは前記第１のデータセットに基づくレンダリングを含む、請求項１０記載の方法。
【請求項１４】
前記第２の３次元表現のレンダリングは前記第２のデータセットに基づくレンダリングを含み、該第２のデータセットは前記第１のデータセットと同一のスキャンに由来するが、前記第１のデータセットとは異なる処理が行われている、請求項１０記載の方法。
【請求項１５】
さらに、前記レンダリング、または前記第２のデータセット、または前記レンダリングおよび前記第２のデータセットに修正を適用し、前記第２の３次元表現の前記レンダリングを該修正に依存して繰り返す、請求項１０記載の方法。
【請求項１６】
前記修正は色づけ、またはデータ除去、または色づけおよびデータ除去を含む、請求項１５記載の方法。
【請求項１７】
コンピュータ読み出し可能記憶媒体には、医学的な画像診断におけるデータを体積レンダリングするためにプログラミングされたプロセッサによって実行可能な命令を表すデータが格納されており、
単一の超音波モードのデータから別個にレンダリングを行う命令を有し、各別個のレンダリングは相対的に質が高められたデータに由来する情報を有し、ただし、前記データは異なる情報を有する異なるデータセットを含み、異なるデータセットからの前記レンダリングにより相対的にデータの質が高められ、
前記別個のレンダリングを単一のビューへと組み合わせる命令を有することを特徴とする、コンピュータ読み出し可能記憶媒体。
【請求項１８】
前記データは単一のデータセットを含み、レンダリングにおける相違により相対的にデータの質が高められる、請求項１７記載の命令。
【手続補正書】
【提出日】平成23年6月20日(2011.6.20)
【手続補正１】
【補正対象書類名】特許請求の範囲
【補正対象項目名】請求項１３
【補正方法】変更
【補正の内容】
【請求項１３】
前記ピッチ調整データは、前記第１の走査周期と第２の走査周期との相対頻度を定めることを特徴とする請求項８乃至１１のいずれか１項に記載の画像形成装置。
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
印刷システムにおけるカラー印刷ジョブのマッチングのためのシステムであって、
複数の画像マーキングエンジンと、
第１の画像マーキングエンジンによって印刷され、データグリフ及び複数の参照パッチを有する、媒体文書上の第１のテスト画像と、
第２の画像マーキングエンジンによって印刷され、データグリフ及び複数の参照パッチを有する前記媒体文書上の第２のテスト画像と、を含み、
前記第１のテスト画像及び前記第２のテスト画像は前記媒体文書の同じ面上に印刷されており、
更に、前記媒体文書を走査するための画像キャプチャ装置を含み、
走査された前記第１のテスト画像及び前記第２のテスト画像は、前記第１の画像マーキングエンジン及び前記第２の画像マーキングエンジンのカラー補正テーブルをマッチングさせるための校正データを提供し、前記走査された前記第１のテスト画像及び前記第２のテスト画像双方の前記データグリフ及び前記参照パッチは、検索されたカラー補正テーブルと比較されて、走査された前記画像セットアップデータと前記第１の画像マーキングエンジン又は前記第２の画像マーキングエンジン上の少なくとも第１のその次の画像文書の前記カラー補正テーブルとの間の相違に基づいて補償値を生成する、
前記画像セットアップデータは、前記第２の画像マーキングエンジンと第３の画像マーキングエンジンに提供され、前記第２の画像マーキングエンジン又は前記第３の画像マーキングエンジンからの前記少なくとも第１のその次の画像文書を、前記第１の画像マーキングエンジンの前記第１のテスト画像の文書にマッチングさせる、
ことを特徴とするシステム。
【請求項２】
印刷システムにおけるカラー印刷ジョブのマッチングのためのシステムであって、
複数の画像マーキングエンジンと、
前記複数の画像マーキングエンジンのそれぞれによって印刷されるカラー校正画像とを含み、
複数の前記カラー校正画像は媒体文書の同じ面上に印刷され、前記カラー校正画像のそれは前記媒体文書の前記同じ面上に印刷される前記カラー校正画像の数を最大にするように前記媒体文書上に配置されており、
複数の前記校正画像は校正されたカラー分光光度計により走査され、複数の前記マーキングエンジンの各々は動作設定点を固守するように補正され、
前記カラー構成画像は各々、ジョブ属性を含むエンコードされたデータグリフと一連のカラー参照パッチを含み、
前記データグリフのジョブ属性は、前記画像マーキングエンジンの印刷設定に依存し、画像設定、ゼログラフ設定、レンダリングオプション、画像設定、ゼログラフ設定、レンダリングオプション、転写関連調整、及び次のマッチングカラー画像のセットアッププロセスを容易にする媒体調整を含むグループから選択される、
ことを特徴とするシステム。
【請求項３】
印刷システムにおけるカラー印刷ジョブのマッチングのための方法であって、
媒体シート上に第１の画像マーキングエンジンからの第１のカラー校正画像を印刷し、
前記媒体シートを第２の画像マーキングエンジンに移動させ、前記媒体シートの同じ面上に第２のカラー校正画像を印刷し、
印刷システムにおける全ての画像マーキングエンジンが前記媒体シート上にカラー校正画像を印刷するまで、又は、前記媒体シートが別のカラー校正画像に対応できなくなるまで、上述のステップを繰り返すことを含み、
前記カラー校正画像の各々は、データグリフ及び複数の参照パッチを有し、前記データグリフは、個々に区別できる印刷ジョブ属性を記録し、前記参照パッチは、対応する前記カラー校正画像のカラー値を記録するものであり、
前記ジョブ属性は、前記画像マーキングエンジンの印刷設定に依存しており、
更に、前記カラー校正画像を走査し、
繰り返される再画像形成に対して前記参照パッチを補償し、
前記データグリフと前記参照パッチからセットアップデータを生成する、ことを含み、
前記セットアップデータは、前記画像マーキングエンジンの各々に対するカラー補正テーブル、並びに、実際のセットアップターゲットを校正して更新するための情報を含んでいる、
ことを特徴とする方法。
【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
練習用装置（１０）であって、
第１（２６）及び第２（３２）の離間したベース部材と、
前記第１及び第２の離間したベース部材（２６、３２）からそれぞれ上方に延びる第１及び第２の長尺部（１８、２０）であって、前記第１及び第２の長尺部（１８、２０）が目標部（２４）において連結されている、長尺部と、
を備え、
前記ベース部材（２６、３２）のうち少なくとも一つが、前記長尺部（１８、２０）を略直立状態に維持すべく、前記長尺部（１８、２０）および前記目標部（２４）に対して重量が付与されており、
前記第１のベース部材（２６）が、ほぼ凸状の下面（２８）を有する第１のベース部、およびそこから上方に延びる前記第１の長尺部（１８）を規定するように配置された手段を備え、
前記第２のベース部材（３２）が、ほぼ凸状の下面（３４）を有する第２のベース部、およびそこから上方に延びる前記第２の長尺部（２０）を規定するように配置された手段を備え、
前記ベース部の前記ほぼ凸状の下面（２８、３４）が、前記長尺部（１８、２０）を前記略直立状態に維持しようとする、装置。
【請求項２】
重心が前記ベース部材の上面（３０、２２）の下方である、請求項１に記載の装置。
【請求項３】
前記第１の長尺部が第１の人間の脚の外観をもつ形状とされ、かつ前記第２の長尺部が第２の人間の脚の外観をもつ形状とされた、請求項１又は２に記載の装置。
【請求項４】
前記目標部が人間の鼠蹊部の外観をもつ形状とされた、請求項１乃至３のいずれか１以上の項に記載の装置。
【請求項５】
前記目標部が第３の部分を含む、請求項１乃至４のいずれか１以上の項に記載の装置。
【請求項６】
前記第３の部分が人間の胴体の一部又は全部の外観をもつ形状とされた、請求項１乃至５のいずれか１以上の項に記載の装置。
【請求項７】
前記ベース部材が中空であって、多量の重量付与のための材料を受け入れるように配置された、請求項１乃至６のいずれか１以上の項に記載の装置。
【請求項８】
前記第３の部分が膨張可能である、請求項５、６、又は７に記載の装置。
【請求項９】
前記第１の長尺部及び前記第２の長尺部が剛性である、請求項１乃至８のいずれか１以上の項に記載の装置。
【請求項１０】
前記第１の長尺部及び前記第２の長尺部は、前記目標部への攻撃に応答して前記装置が急激に上方に動くようにするための手段を備える、請求項１乃至９のいずれか１以上の項に記載の装置。
【請求項１１】
鼠蹊の目標部及び喉元の目標部を含む、請求項１乃至１０のいずれか１以上の項に記載の装置。
【請求項１２】
フィットネストレーニング用装置を備えた、請求項１乃至１１のいずれか１以上の項に記載の装置。
【請求項１３】
護身トレーニング用装置を備えた、請求項１乃至１２のいずれか１以上の項に記載の装置。
【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
遊技用価値を用いて遊技を行うとともに、遊技の進行状況に応じた効果音を出力する効果音出力手段を備える遊技機であって、
遊技の進行状況に応じて効果音を生成し、前記効果音出力手段から出力させる効果音出力制御手段と、
所定の操作手段の操作により前記効果音出力手段から出力される効果音の音量のレベルを設定する音量設定手段と、
所定の設定値操作期間において、前記遊技の進行のために消費される遊技用価値に対して遊技者に付与する遊技用価値の割合を定める複数種類の設定値のうちから、前記遊技機の内部に設けられた設定値操作手段の操作によって何れかの設定値を選択して設定する設定値設定手段とを備え、
前記効果音出力制御手段は、前記設定値設定手段により設定値が設定されるときに、所定の設定値操作音を前記効果音出力手段から出力させる設定値操作音出力制御手段を含み、
前記設定値操作音出力制御手段は、前記音量設定手段により設定されている音量のレベルに関わらずに、音量のレベルを前記遊技機において設定可能な最大レベルとして前記設定値操作音を出力させる
ことを特徴とする遊技機。
【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
遊技用価値を用いて遊技を行うとともに、遊技の進行状況に応じた効果音を出力する効果音出力手段を備える遊技機であって、
遊技の進行状況に応じて効果音を生成し、前記効果音出力手段から出力させる効果音出力制御手段と、
所定の操作手段の操作により前記効果音出力手段から出力される効果音の音量のレベルを設定する音量設定手段と、
遊技者所有の遊技用価値を記憶する遊技用価値記憶手段と、
遊技を進行させるために、前記遊技用価値記憶手段に記憶されている遊技用価値を使用させる遊技用価値使用手段と、
所定の遊技用価値返却操作手段の操作に応じて前記遊技用価値記憶手段に記憶されている遊技用価値を返却させる返却制御を行う返却制御手段とを備え、
前記効果音出力制御手段は、前記遊技用価値返却操作手段の操作により前記返却制御が行われるときに、前記効果音出力手段から所定の返却制御音を出力させる返却制御音出力制御手段を含み、
前記返却制御音出力制御手段は、前記音量設定手段により設定されている音量のレベルに関わらずに、音量のレベルを前記遊技機において設定可能な最大レベルとして前記返却制御音を出力させる
ことを特徴とする遊技機。
【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
遊技用価値を用いて遊技を行うとともに、遊技の進行状況に応じた効果音を出力する効果音出力手段を備える遊技機であって、
遊技の進行状況に応じて効果音を生成し、前記効果音出力手段から出力させる効果音出力制御手段と、
所定の操作手段の操作により前記効果音出力手段から出力される効果音の音量のレベルを設定する音量設定手段と、
前記遊技機における遊技の進行でエラーが発生したことを検出するエラー検出手段とを備え、
前記効果音出力制御手段は、前記エラー検出手段によりエラーの発生が検出されたときに、前記効果音出力手段から所定のエラー音を出力させるエラー音出力制御手段を含み、
前記エラー音出力制御手段は、前記音量設定手段により設定されている音量のレベルに関わらずに、音量のレベルを前記遊技機において設定可能な最大レベルとして前記エラー音を出力させる
ことを特徴とする遊技機。
【手続補正書】
【提出日】平成23年2月8日(2011.2.8)
【手続補正１】
【補正対象書類名】明細書
【補正対象項目名】特許請求の範囲
【補正方法】変更
【補正の内容】
【特許請求の範囲】
【請求項１】  外科用のリベットおよびピンのファスナー装置において、
基端部において拡大されたヘッド部および当該ヘッド部から吊り下げられている状態の複数の拡張可能な足部を有してリベット軸に沿って延在している細長い本体部分を有していて、生体吸収性で生体許容性の材料により形成されているリベットを備えており、前記足部が概ね円周全体に配列されてリベット軸に沿って先端側に延在している中央開口部を形成しており、さらに、
ピンを備えており、当該ピンおよび前記足部がピンの前記中央開口部の中における移動により足部が拡張して前記リベットを固定するように寸法付けられており、さらに、
前記リベットおよび前記ピンを内部接続している一体の支持体を備えており、当該支持体が前記ピンを前記リベット軸に沿って当該リベットの外側において少なくとも部分的に位置決めして取り扱い性および設置性のための細長いワン−ピース型の組立体を形成し、さらに、前記支持体が前記ピンに対して軸方向に向いている力を加えた時に崩壊するように構成されていて、これにより、前記ピンが前記中央開口部の中を進行して前記リベットを固定する外科用のリベットおよびピンのファスナー装置。
【請求項２】  生体吸収性で生体許容性のリベットおよびピンのファスナー装置において、
（ａ）基端部、先端部および中心軸を有するヘッド部を有している生体許容性のリベットを備えており、当該ヘッド部がこのヘッド部の基端部から先端部まで延在していて前記ヘッド部の中心軸に対して実質的に平行な内部通路を有しており、前記ヘッド部の先端部がヘッド部から概ね先端側に延在していて前記中心軸に対向している内面部を有している２個以上の足部に機械的に接続しており、さらに、
（ｂ）一体の支持接続部分により前記リベットに対して軸方向に位置合わせされて取り付けられている生体許容性のピンを備えており、軸方向に向いている力により前記接続部分が剪断されて前記ピンが前記リベットの内部通路の中に駆動され、前記足部が前記中心軸から外側に押し広げられてリベットが固定されるリベットおよびピンのファスナー装置。
【請求項３】  生体吸収性で生体許容性のリベットおよびピンのファスナー装置において、
（ｉ）基端部、先端部および中心軸を有するヘッド部を有している生体許容性のリベットを備えており、当該ヘッド部がこのヘッド部の基端部から先端部まで延在していて中心軸に対して実質的に平行な内部通路を有しており、前記ヘッド部の先端部がヘッド部から概ね先端側に延在していて前記中心軸に対向している内面部を有している２個以上の足部に機械的に接続しており、さらに、
（ｉｉ）前記リベットの内部通路の中に挿入できるように寸法付けられている生体許容性のピンを備えており、当該ピンが前記リベットにおけるヘッド部の基端部から先端部に向かって進行する際に前記足部の内面部に接触して当該足部に前記中心軸に対して垂直な方向に力を加え、
（ｉｉｉ）前記ピンが崩壊可能な支持接続部分により前記ヘッド部に接続しており、当該接続部分が前記ヘッド部および前記ピンに対して一体に形成されて、改善された取り扱い性および設置性のための細長いワン−ピース型リベットを形成しているリベットおよびピンのファスナー装置。
【手続補正書】
【提出日】平成23年8月17日(2011.8.17)
【手続補正１】
【補正対象書類名】特許請求の範囲
【補正対象項目名】全文
【補正方法】変更
【補正の内容】
【特許請求の範囲】
【請求項１】
圧電振動子と発振用トランジスタとを有するコルピッツ型発振回路であって、
前記圧電振動子に直列接続され抵抗値が負の温度係数を有する抵抗回路を備えたことを特徴とするコルピッツ型発振回路。
【請求項２】
前記抵抗回路は、抵抗とサーミスタを並列接続したものであることを特徴とする請求項１に記載のコルピッツ型発振回路。
【請求項３】
前記抵抗回路は、抵抗とサーミスタからなる直列回路と、前記直列回路に並列接続された抵抗と、を備えたことを特徴とする請求項１に記載のコルピッツ型発振回路。
【請求項４】
請求項１乃至３に記載のコルピッツ型発振回路を備えたことを特徴とする圧電発振器。
【手続補正２】
【補正対象書類名】明細書
【補正対象項目名】発明の名称
【補正方法】変更
【補正の内容】
【発明の名称】コルピッツ型発振回路および圧電発振器